(57)【要約】      （修正有）【課題】防振ゴム製品の選定手順を簡略化する提示装置及びプログラムを提供する。【解決手段】防振ゴム特性表示装置は、防振ゴムに対する要求特性を示す要求特性情報を取得する要求特性情報取得部、選定ロジックの種類を指定するロジック指定情報を取得するロジック指定情報取得部、ロジック指定情報取得部が取得するロジック指定情報に基づいて、ロジック指定情報が指定する種類の選定ロジックを選択するロジック選択部、サプライヤーから提供される防振ゴム製品の製品特性を、防振ゴム製品の種類ごとに示す製品情報を取得する製品情報取得部、ロジック選択部が選択する選定ロジックに、要求特性情報取得部が取得する要求特性情報の少なくとも一部を適用することで、製品情報取得部が取得する製品情報に含まれる防振ゴム製品の複数の種類から、防振ゴム製品の種類を選択する製品選択部及び製品選択部が選択する防振ゴム製品の種類を提示する提示部とを備える。【選択図】図３
2020201895.tif 000002
【特許請求の範囲】
【請求項１】
防振ゴムに対する要求特性を示す要求特性情報を取得する要求特性情報取得部と、
防振ゴム製品の製品特性と、防振ゴム製品に対する要求特性とに基づいて、複数の種類の防振ゴム製品の中から前記要求特性を満たす種類の防振ゴム製品を選定する選定ロジックの種類を指定するロジック指定情報を取得するロジック指定情報取得部と、
前記ロジック指定情報取得部が取得する前記ロジック指定情報に基づいて、複数の種類の前記選定ロジックの中から前記ロジック指定情報が指定する種類の前記選定ロジックを選択するロジック選択部と、
サプライヤーから提供される防振ゴム製品の製品特性を、防振ゴム製品の種類ごとに示す製品情報を取得する製品情報取得部と、
前記ロジック選択部が選択する前記選定ロジックに、前記要求特性情報取得部が取得する前記要求特性情報の少なくとも一部を適用することで、前記製品情報取得部が取得する前記製品情報に含まれる前記防振ゴム製品の複数の種類のうちから、前記防振ゴム製品の種類を選択する製品選択部と、
前記製品選択部が選択する前記防振ゴム製品の種類を提示する提示部と、
を備える提示装置。
【請求項２】
ユーザーを識別する情報であるユーザー識別情報を取得し、ユーザーを識別するユーザー識別部と、
サプライヤーを識別する情報であるサプライヤー識別情報を取得し、サプライヤーを識別するサプライヤー識別部と、
をさらに備え、
前記製品選択部は、前記ユーザー識別部が取得する前記ユーザー識別情報と、前記サプライヤー識別部が取得する前記サプライヤー識別情報とに基づいて、前記製品情報取得部が取得する前記製品情報に含まれる前記防振ゴム製品の複数の種類のうちから、前記防振ゴム製品の種類を選択する、
請求項１に記載の提示装置。
【請求項３】
前記選定ロジックは、サプライヤーに対して適用可能な標準ロジックであるか、サプライヤーから提供され特定のサプライヤーに対して適用可能な独自ロジックであるか、のいずれかに分別され、
前記ロジック選択部は、前記ユーザー識別部が取得する前記ユーザー識別情報と、前記サプライヤー識別部が取得する前記サプライヤー識別情報とに基づいて、複数の種類の前記選定ロジックの中から前記選定ロジックを選択する、
請求項２に記載の提示装置。
【請求項４】
前記ユーザー識別部は、前記ユーザー識別情報に基づき、識別対象のユーザーが前記提示装置を利用可能である許可済ユーザーであるか否かを判定し、
前記サプライヤー識別部は、前記サプライヤー識別情報に基づき、識別対象のサプライヤーが前記提示装置を利用可能である許可済サプライヤーであるか否かを判定し、
前記製品選択部は、前記ユーザー識別部により前記許可済ユーザーと判定された前記ユーザーから前記要求特性情報取得部が取得した前記要求特性情報に基づき、前記サプライヤー識別部により前記許可済サプライヤーと判定されたサプライヤーの前記製品情報に含まれる前記防振ゴム製品の複数の種類のうちから、前記防振ゴム製品の種類を選択する、
請求項２または請求項３に記載の提示装置。
【請求項５】
前記製品選択部は、
前記要求特性情報取得部が取得する前記要求特性情報と、前記製品情報取得部が取得する前記製品情報に含まれる前記防振ゴム製品の種類ごとの特性とに基づく解析結果を選択条件に用いることにより、前記製品情報取得部が取得する前記製品情報のうちから、前記防振ゴム製品の種類を選択する、
請求項１から請求項４のいずれか一項に記載の提示装置。
【請求項６】
前記製品情報には、前記防振ゴム製品の価格に関する情報が含まれ、
前記提示部は、
前記要求特性情報取得部が取得する前記要求特性情報と前記製品情報取得部が取得する前記製品情報と前記防振ゴム製品の価格に関する情報とに基づく、前記防振ゴムの見積金額を提示する、
請求項１から請求項５のいずれか一項に記載の提示装置。
【請求項７】
前記要求特性情報取得部が取得する前記要求特性情報には、
製品のサイズ、内筒を取り付けるか否かの情報、ばね定数、線形域を示す情報、耐久性、及び共振周波数が含まれる、
請求項１から請求項６のいずれか一項に記載の提示装置。
【請求項８】
前記サプライヤーから提供される防振ゴム製品には、
液封ブッシュ、ソリッドブッシュ、エンジンマウント、ストラットマウント、キャブマウント、モータマウント及びマフラーハンガーが含まれる、
請求項１から請求項７のいずれか一項に記載の提示装置。
【請求項９】
コンピュータに、
防振ゴムに対する要求特性を示す要求特性情報を取得する要求特性情報取得ステップと、
防振ゴム製品の製品特性と、防振ゴム製品に対する要求特性とに基づいて、複数の種類の防振ゴム製品の中から前記要求特性を満たす種類の防振ゴム製品を選定する選定ロジックの種類を指定するロジック指定情報を取得するロジック指定情報取得ステップと、
前記ロジック指定情報取得ステップにおいて取得される前記ロジック指定情報に基づいて、複数の種類の前記選定ロジックの中から前記ロジック指定情報が指定する種類の前記選定ロジックを選択するロジック選択ステップと、
サプライヤーから提供される防振ゴム製品の製品特性を、防振ゴム製品の種類ごとに示す製品情報を取得する製品情報取得ステップと、
前記ロジック選択ステップにおいて選択される前記選定ロジックに、前記要求特性情報取得ステップにおいて取得される前記要求特性情報の少なくとも一部を適用することで、前記製品情報取得ステップにおいて取得される前記製品情報に含まれる前記防振ゴム製品の複数の種類のうちから、前記防振ゴム製品の種類を選択する製品選択ステップと、
前記製品選択ステップにおいて選択される前記防振ゴム製品の種類を提示する提示ステップと、
を実行させるためのプログラム。
【発明の詳細な説明】
【技術分野】
【０００１】
本発明は、提示装置及びプログラムに関する。
【背景技術】
【０００２】
従来、コイルばねなどの製品群の電子カタログをネットワークを介して提示することにより、製品をカタログ販売するシステムが知られている（例えば、特許文献１を参照）。
【先行技術文献】
【特許文献】
【０００３】
【特許文献１】特開２００３−０１６１３９号公報
【発明の概要】
【発明が解決しようとする課題】
【０００４】
ところで、車両の部品として利用されるような一部の防振ゴム製品の場合には、防振ゴム製品の特性が車両の要求仕様を満たすものであるか否かを、防振ゴム製品のカタログ値からだけでは把握することが困難である場合がある。
そこで、従来、防振ゴム製品の発注元（例えば、車両メーカー）から防振ゴム製品のサプライヤーに対して要求仕様が提示され、提示された要求仕様に基づいて部品サプライヤーが防振ゴム製品の特性解析を行った結果を発注元に提示するといった手順によって、部品選定が行われていた。この手順において利用される特性解析の方法は、部品サプライヤー内部において秘匿されるべきノウハウになっていることがある。
上述したような選定手順は煩雑であることから、防振ゴム製品の場合においても電子カタログなどに特性解析機能を付加するなどして、手順が簡略化された状態で部品選定がなされることが好ましい。しかしながら、部品選定手順を簡略化するために単純に電子カタログに特性解析機能を付加すると、秘匿すべき特性解析の方法が発注元側に開示されてしまうおそれがあるという問題が生じていた。
すなわち、従来手法によると、防振ゴム製品の選定手順を簡略化することができないという問題があった。
【０００５】
本発明は、このような状況に鑑みてなされたものであり、防振ゴム製品の選定手順を簡略化することができる提示装置及びプログラムを提供することを目的とする。
【課題を解決するための手段】
【０００６】
本発明の一態様は、防振ゴムに対する要求特性を示す要求特性情報を取得する要求特性情報取得部と、防振ゴム製品の製品特性と、防振ゴム製品に対する要求特性とに基づいて、複数の種類の防振ゴム製品の中から前記要求特性を満たす種類の防振ゴム製品を選定する選定ロジックの種類を指定するロジック指定情報を取得するロジック指定情報取得部と、前記ロジック指定情報取得部が取得する前記ロジック指定情報に基づいて、複数の種類の前記選定ロジックの中から前記ロジック指定情報が指定する種類の前記選定ロジックを選択するロジック選択部と、サプライヤーから提供される防振ゴム製品の製品特性を、防振ゴム製品の種類ごとに示す製品情報を取得する製品情報取得部と、前記ロジック選択部が選択する前記選定ロジックに、前記要求特性情報取得部が取得する前記要求特性情報の少なくとも一部を適用することで、前記製品情報取得部が取得する前記製品情報に含まれる前記防振ゴム製品の複数の種類のうちから、前記防振ゴム製品の種類を選択する製品選択部と、前記製品選択部が選択する前記防振ゴム製品の種類を提示する提示部と、を備える提示装置である。
【０００７】
また、本発明の一態様に係る提示装置において、ユーザーを識別する情報であるユーザー識別情報を取得し、ユーザーを識別するユーザー識別部と、サプライヤーを識別する情報であるサプライヤー識別情報を取得し、サプライヤーを識別するサプライヤー識別部と、をさらに備え、前記製品選択部は、前記ユーザー識別部が取得する前記ユーザー識別情報と、前記サプライヤー識別部が取得する前記サプライヤー識別情報とに基づいて、前記製品情報取得部が取得する前記製品情報に含まれる前記防振ゴム製品の複数の種類のうちから、前記防振ゴム製品の種類を選択する。
【０００８】
また、本発明の一態様に係る提示装置において、前記選定ロジックは、サプライヤーに対して適用可能な標準ロジックであるか、サプライヤーから提供され特定のサプライヤーに対して適用可能な独自ロジックであるか、のいずれかに分別され、前記ロジック選択部は、前記ユーザー識別部が取得する前記ユーザー識別情報と、前記サプライヤー識別部が取得する前記サプライヤー識別情報とに基づいて、複数の種類の前記選定ロジックの中から前記選定ロジックを選択する。
【０００９】
また、本発明の一態様に係る提示装置において、前記ユーザー識別部は、前記ユーザー識別情報に基づき、識別対象のユーザーが前記提示装置を利用可能である許可済ユーザーであるか否かを判定し、前記サプライヤー識別部は、前記サプライヤー識別情報に基づき、識別対象のサプライヤーが前記提示装置を利用可能である許可済サプライヤーであるか否かを判定し、前記製品選択部は、前記ユーザー識別部により前記許可済ユーザーと判定された前記ユーザーから前記要求特性情報取得部が取得した前記要求特性情報に基づき、前記サプライヤー識別部により前記許可済サプライヤーと判定されたサプライヤーの前記製品情報に含まれる前記防振ゴム製品の複数の種類のうちから、前記防振ゴム製品の種類を選択する。
【００１０】
また、本発明の一態様に係る提示装置において、前記製品選択部は、前記要求特性情報取得部が取得する前記要求特性情報と、前記製品情報取得部が取得する前記製品情報に含まれる前記防振ゴム製品の種類ごとの特性とに基づく解析結果を選択条件に用いることにより、前記製品情報取得部が取得する前記製品情報のうちから、前記防振ゴム製品の種類を選択する。
【００１１】
また、本発明の一態様に係る提示装置において、前記製品情報には、前記防振ゴム製品の価格に関する情報が含まれ、前記提示部は、前記要求特性情報取得部が取得する前記要求特性情報と前記製品情報取得部が取得する前記製品情報と前記防振ゴム製品の価格に関する情報とに基づく、前記防振ゴムの見積金額を提示する。
【００１２】
また、本発明の一態様に係る提示装置において、前記要求特性情報取得部が取得する前記要求特性情報には、製品のサイズ、内筒を取り付けるか否かの情報、ばね定数、線形域を示す情報、耐久性、及び共振周波数が含まれる。
【００１３】
また、本発明の一態様に係る提示装置において、前記サプライヤーから提供される防振ゴム製品には、液封ブッシュ、ソリッドブッシュ、エンジンマウント、ストラットマウント、キャブマウント、モータマウント及びマフラーハンガーが含まれる。
【００１４】
また、本発明の一態様は、コンピュータに、防振ゴムに対する要求特性を示す要求特性情報を取得する要求特性情報取得ステップと、防振ゴム製品の製品特性と、防振ゴム製品に対する要求特性とに基づいて、複数の種類の防振ゴム製品の中から前記要求特性を満たす種類の防振ゴム製品を選定する選定ロジックの種類を指定するロジック指定情報を取得するロジック指定情報取得ステップと、前記ロジック指定情報取得ステップにおいて取得される前記ロジック指定情報に基づいて、複数の種類の前記選定ロジックの中から前記ロジック指定情報が指定する種類の前記選定ロジックを選択するロジック選択ステップと、サプライヤーから提供される防振ゴム製品の製品特性を、防振ゴム製品の種類ごとに示す製品情報を取得する製品情報取得ステップと、前記ロジック選択ステップにおいて選択される前記選定ロジックに、前記要求特性情報取得ステップにおいて取得される前記要求特性情報の少なくとも一部を適用することで、前記製品情報取得ステップにおいて取得される前記製品情報に含まれる前記防振ゴム製品の複数の種類のうちから、前記防振ゴム製品の種類を選択する製品選択ステップと、前記製品選択ステップにおいて選択される前記防振ゴム製品の種類を提示する提示ステップと、を実行させるためのプログラムである。
【発明の効果】
【００１５】
本発明によれば、防振ゴム製品の選定手順を簡略化することができる提示装置及びプログラムを提供できる。
【図面の簡単な説明】
【００１６】
【図１】実施形態における防振ゴム製品提示システムの概要を示す図である。
【図２】実施形態における防振ゴム製品提示システムに関連する契約の提案から利用開始までの流れを示す図である。
【図３】実施形態における防振ゴム製品提示システムの機能構成の一例を示す図である。
【図４】実施形態における製品情報の一例を示す図である。
【図５】実施形態におけるユーザー情報の一例を示す図である。
【図６】実施形態におけるサプライヤー情報の一例を示す図である。
【図７】実施形態における防振ゴム製品提示装置の一連の動作の一例を示す図である。
【図８Ａ】実施形態における防振ゴム製品提示装置のユーザー識別情報取得動作の表示の一例を示す図である。
【図８Ｂ】実施形態における防振ゴム製品提示装置のロジック指定情報取得動作の表示の一例を示す図である。
【図９】実施形態における防振ゴム製品提示装置の標準ロジック用パラメータ取得動作の表示の一例を示す図である。
【図１０】実施形態における防振ゴム製品提示装置のサプライヤー選択動作の表示の一例を示す図である。
【図１１】実施形態における防振ゴム製品提示装置の独自ロジック用パラメータ取得動作の表示の一例を示す図である。
【図１２】実施形態における防振ゴム製品提示装置の最終確認動作における表示の一例を示す図である。
【図１３】実施形態における防振ゴム製品提示装置の見積価格提示及び発注動作の一例を示す図である。
【発明を実施するための形態】
【００１７】
以下、本発明の実施形態について、図面を参照しながら説明する。
［防振ゴム製品提示システムの概要］
図１は、実施形態における防振ゴム製品提示システムＡの概要を示す図である。
防振ゴム製品提示システムＡとは、プラットフォーム提供者Ａ１００によって提供されるコンピュータシステムである。
防振ゴム製品提示システムＡにおいて、プラットフォーム提供者Ａ１００からユーザーＡ２００に対して防振ゴム製品の製品選定アプリケーションＦ１が提供される。防振ゴム製品提示システムＡにおいて、防振ゴムサプライヤーＡ３００から防振ゴム製品情報Ｆ２が提供される。提供された防振ゴム製品情報Ｆ２は、製品情報記憶部４に記憶される。防振ゴム製品提示システムＡにおいて、製品選定アプリケーションＦ１を介してユーザーＡ２００からユーザーＡ２００の要求仕様が提供される。防振ゴム製品提示システムＡは、防振ゴムサプライヤーＡ３００から提供される防振ゴム製品情報Ｆ２（すなわち、製品情報記憶部４に記憶されている防振ゴム製品情報Ｆ２）のうち、ユーザーＡ２００の要求に応じた防振ゴム製品情報Ｆ３を、防振ゴム製品の選定情報としてユーザーＡ２００に提示する。
すなわち、防振ゴム製品提示システムＡにおいて、製品選定アプリケーションＦ１は、既存の防振ゴム製品の中から、要求仕様に応じた防振ゴム製品を検索する検索ソフトウエアとして機能する。
【００１８】
ここで、ユーザーＡ２００とは、例えば車両メーカーにおける防振ゴム製品の選定担当者である。防振ゴムサプライヤーＡ３００とは、防振ゴム製品及びこの防振ゴム製品の特性情報である防振ゴム製品情報Ｆ２を提供する者である。
なお、本実施形態の防振ゴム製品には、マウント、クッションゴム、ソリッドブッシュ、液封ブッシュ、エアスリーブなどが含まれる。また、防振ゴム製品には、エンジンマウント、ストラットマウント、キャブマウント、モータマウント又はマフラーハンガー等の自動車用防振ゴム製品が含まれていてもよい。以下では、防振ゴム製品が液封ブッシュである場合を一例にして説明する。
【００１９】
防振ゴム製品提示システムＡには、複数のユーザーＡ２００及び複数の防振ゴムサプライヤーＡ３００が参加可能である。複数の防振ゴムサプライヤーＡ３００は、それぞれの防振ゴム製品情報Ｆ２を製品情報ＰＩとして提供する。複数の防振ゴムサプライヤーＡ３００からそれぞれ提供された製品情報ＰＩは、製品情報記憶部４に記憶される。すなわち製品情報記憶部４には、複数の防振ゴムサプライヤーＡ３００の製品情報ＰＩが記憶される。しがたって、防振ゴム製品提示システムＡを利用するユーザーＡ２００は、複数の防振ゴムサプライヤーＡ３００がそれぞれ提供する防振ゴム製品の中から、当該ユーザーＡ２００の要求仕様に応じた防振ゴム製品を選定することができる。
【００２０】
なお、防振ゴム製品提示システムＡは、単独で動作可能な専用の装置、汎用の計算機上で動作する専用アプリケーションソフトウエア、または汎用の計算機上で動作するインターネットブラウザを介してサーバ上で動くソフトウエア等のいずれの形態によって構成されていてもよい。
【００２１】
［防振ゴム製品提示システムＡにおけるシステム利用料金の流れの概要］
次に、防振ゴム製品提示システムＡにおけるシステム利用料金の流れの一例について説明する。この一例では、防振ゴム製品提示システムＡが、ユーザーＡ２００が利用する汎用計算機上で動作するアプリケーションソフトウエアとして構成されているものとして説明する。
この一例において、汎用計算機は、不図示のマイクロコンピュータ、ＲＡＭ(Random access memory)及びＲＯＭ(Read only memory)等のメモリ、汎用入力装置、汎用出力装置、及び外部機器とのやり取りを行う通信部等を備えている。
【００２２】
プラットフォーム提供者Ａ１００は、防振ゴムサプライヤーＡ３００に対して、製品情報記憶部４に製品情報ＰＩを記憶させる権利を与える。防振ゴムサプライヤーＡ３００は、製品情報記憶部４に製品情報ＰＩを記憶させる権利の対価としてのプラットフォーム利用料Ｃ１００を、プラットフォーム提供者Ａ１００に対して支払う。
防振ゴムサプライヤーＡ３００が防振ゴム製品の製品情報ＰＩを製品情報記憶部４に記憶させることにより、ユーザーＡ２００は、ユーザーＡ２００の要求仕様に応じた防振ゴム製品を選定することができるようになる。防振ゴムサプライヤーＡ３００は、防振ゴム製品提示システムＡを介して自社の製品の製品情報ＰＩをユーザーＡ２００に対して提示することが可能である。
従来においては、防振ゴムサプライヤーＡ３００は、ユーザーＡ２００（例えば、自動車メーカー）に対して営業活動を行い、自動車メーカーから提供される要求仕様に基づいて、防振ゴム製品の選定を行っていた。
本実施形態の防振ゴム製品提示システムＡによれば、製品情報記憶部４に記憶された製品情報ＰＩに基づいて、ユーザーＡ２００の要求仕様に応じた防振ゴム製品が選定される。このため、防振ゴム製品提示システムＡによれば、防振ゴムサプライヤーＡ３００が自社製品の売り込みなどの営業活動をユーザーＡ２００に対して直接的に行わなくても、自社の防振ゴム製品がユーザーＡ２００によって選定される機会が与えられる。プラットフォーム利用料Ｃ１００は、従来、防振ゴムサプライヤーＡ３００が負担していた自社製品の営業活動に要する費用が防振ゴム製品提示システムＡによって低減されることの対価であるともいえる。
プラットフォーム利用料Ｃ１００は、月や年を単位とする期間契約によって、またはユーザーＡ２００に対する製品情報ＰＩの提示回数やユーザーＡ２００による製品採用による成功報酬型契約によって、その金額が定められていてもよい。
【００２３】
プラットフォーム提供者Ａ１００は、ユーザーＡ２００に製品選定アプリケーションＦ１を提供する。ユーザーＡ２００は、製品選定アプリケーションＦ１の提供又は利用の対価としてのアプリケーション使用料Ｃ２００を、プラットフォーム提供者Ａ１００に対して支払う。
なお、製品選定アプリケーションＦ１には、販売（譲渡）による提供形態と、リース（貸出）による提供形態とがあってもよい。
【００２４】
防振ゴムサプライヤーＡ３００は、ユーザーＡ２００の要求仕様に応じた防振ゴム製品の製品情報ＰＩを、防振ゴム製品情報Ｆ３としてユーザーＡ２００に提供する。ユーザーＡ２００は、提供される防振ゴム製品情報Ｆ３の対価としてデータ使用料Ｃ３００を防振ゴムサプライヤーＡ３００に対して支払う。つまり、データ使用料Ｃ３００とは、ユーザーＡ２００が防振ゴムサプライヤーＡ３００に対して支払う料金である。防振ゴムサプライヤーＡ３００が防振ゴム製品の製品情報ＰＩを提供することにより、ユーザーＡ２００は、複数の防振ゴムサプライヤーＡ３００の製品仕様を比較できるようになる。
【００２５】
［契約の提案から利用開始までの流れ］
図２は、実施形態における防振ゴム製品提示システムＡに関連する契約の提案から利用開始までの流れを示す図である。図２を使用して、プラットフォーム提供者Ａ１００、ユーザーＡ２００、及び防振ゴムサプライヤーＡ３００の間での契約と使用許可の流れについて説明する。
この一例では、防振ゴムサプライヤーＡ３００がプラットフォーム提供者Ａ１００と契約を行い、防振ゴム製品提示装置１に防振ゴムサプライヤーＡ３００の防振ゴム製品の製品情報である製品情報ＰＩを登録する。また、ユーザーＡ２００は、プラットフォーム提供者Ａ１００と契約を行い、防振ゴム製品提示装置１を使用して防振ゴム製品の検索をする。
【００２６】
［プラットフォーム提供者と防振ゴムサプライヤー間の契約］
（ステップＳＡ１０）この一例において、防振ゴムサプライヤーＡ３００は、プラットフォーム提供者Ａ１００に対してサプライヤー登録依頼を行う。ここで、防振ゴム製品提示装置１の使用形態及び契約形態には様々な形態が存在する。例えば防振ゴム製品提示装置１の使用形態には、登録できる部品の種類の数に上限がある場合や、提供する情報の種類の数に上限がある場合がある。また、防振ゴム製品提示装置１の契約形態は、使用期間に応じた使用料を定めてもよいし、ユーザーＡ２００の使用回数によって防振ゴム製品提示システムＡの使用料を設定してもよいし、発注が成立した時点で発注金額に応じた使用料を設定してもよい。
（ステップＳＡ２０）プラットフォーム提供者Ａ１００は、防振ゴムサプライヤーＡ３００から登録依頼を受け取ると、契約の草案を作成する。契約は、前述したサプライヤー登録依頼に基づいて作成する。プラットフォーム提供者Ａ１００は、契約書の草案を防振ゴムサプライヤーＡ３００に提示する。
（ステップＳＡ３０）防振ゴムサプライヤーＡ３００は、プラットフォーム提供者Ａ１００から受け取った契約書の草案を確認する。
（ステップＳＡ４０）プラットフォーム提供者Ａ１００が起案した契約書を基に、プラットフォーム提供者Ａ１００と防振ゴムサプライヤーＡ３００との間で合意が得られれば契約は成立となる。合意が得られなければ、契約の内容を再度検討し、両者の合意が得られるまで内容を検討する。
（ステップＳＡ５０）プラットフォーム提供者Ａ１００は、防振ゴムサプライヤーＡ３００との間で合意が得られると、防振ゴムサプライヤーＡ３００に対してサプライヤーＩＤの発行を行う。
（ステップＳＡ６０）サプライヤーＩＤが発行されると、防振ゴムサプライヤーＡ３００は防振ゴム製品提示システムＡを使用可能となる。
【００２７】
［プラットフォーム提供者とユーザー間の契約］
（ステップＳＢ１０）この一例において、ユーザーＡ２００はプラットフォーム提供者Ａ１００に対してユーザー登録依頼を行う。ユーザー登録の契約形態は複数存在し、使用期間に応じた使用料を定めてもよいし、使用する防振ゴム製品提示装置１の機能に応じて使用料を定めてもよい。
（ステップＳＢ２０）プラットフォーム提供者Ａ１００は、ユーザーＡ２００から登録依頼を受け取ると、契約の草案を作成する。契約は、前述したユーザー登録依頼に基づいて作成する。プラットフォーム提供者Ａ１００は、契約書の草案をユーザーＡ２００に提示する。
（ステップＳＢ３０）ユーザーＡ２００は、プラットフォーム提供者Ａ１００から受け取った契約書の草案を確認する。
（ステップＳＢ４０）プラットフォーム提供者Ａ１００が起案した契約書を基に、プラットフォーム提供者Ａ１００とユーザーＡ２００との間で合意が得られれば契約は成立となる。合意が得られなければ、契約の内容を再度検討し、両者の合意が得られるまで内容を検討する。
（ステップＳＢ５０）プラットフォーム提供者Ａ１００は、ユーザーＡ２００との間で合意が得られると、ユーザーＡ２００に対してユーザーＩＤの発行を行う。
（ステップＳＢ６０）ユーザーＩＤが発行されると、ユーザーＡ２００は防振ゴム製品提示システムＡを使用可能となる。
【００２８】
［防振ゴム製品提示システムの機能構成］
防振ゴム製品提示システムＡの機能構成を説明する。
図３は、実施形態における防振ゴム製品提示システムの機能構成の一例を示す図である。防振ゴム製品提示システムＡは、防振ゴム製品提示装置１と、操作検出部２と、情報提供装置３と、製品情報記憶部４と、表示部５と、独自ロジック記憶部６ｂとを備える。
【００２９】
操作検出部２は、ユーザーＡ２００の操作を検出するデバイス（不図示）を備えており、ユーザーＡ２００から要求情報ＲＩ、発注情報ＯＩ、ユーザー識別情報ＵＩＤ及びロジック指定情報ＬＩを取得する。ユーザーＡ２００の操作を検出するデバイスには、スイッチ、キーボード、ポインティングデバイス、音声認識デバイスなどが含まれる。操作検出部２は、ユーザーＡ２００から取得した要求情報ＲＩ、発注情報ＯＩ、ユーザー識別情報ＵＩＤ及びロジック指定情報ＬＩを防振ゴム製品提示装置１に提供する。
要求情報ＲＩとは、ユーザーＡ２００が防振ゴムに要求する特性を示す情報である。要求情報ＲＩには、防振ゴム製品のサイズ、内筒取り付けの要否、ばね定数、及び防振ゴム製品の変形の線形域等を示す情報が含まれる。
発注情報ＯＩとは、ユーザーＡ２００が防振ゴム製品を発注する際に、防振ゴム製品提示装置１が防振ゴム製品の価格を決定するために必要な情報である。
ユーザー識別情報ＵＩＤとは、防振ゴム製品提示装置１がユーザーＡ２００をしきべつするために、プラットフォーム提供者Ａ１００が発行する固有の番号（もしくは文字列）である。
ロジック指定情報ＬＩとは、防振ゴム製品提示装置１が、要求情報ＲＩに基づき、防振ゴム製品を選定する際の、選定方法である選定ロジックを指定する情報である。
【００３０】
製品情報記憶部４は、製品情報ＰＩを記憶する。製品情報記憶部４は、物理的なサーバ装置として構成されていてもよく、クラウド上に存在する論理的なサーバとして構成されていてもよい。製品情報記憶部４は、防振ゴム製品提示装置１の内部に備えられていてもよいし、防振ゴム製品提示装置１の外部に備えられていてもよい。
製品情報記憶部４は、情報提供装置３から製品情報ＰＩを取得する。製品情報記憶部４は、防振ゴム製品提示装置１からの要求に応じて、防振ゴム製品提示装置１に対して製品情報ＰＩを供給する。
【００３１】
図６は、本実施形態の製品情報記憶部４に記憶される製品情報ＰＩの一例を示す図である。製品情報記憶部４には、例えば、サプライヤーＩＤ、防振ゴムＩＤ、サイズ、特性、信頼性、価格等の情報が互いに関連付けられて、製品情報ＰＩとして記憶される。サプライヤーＩＤとは、複数の防振ゴムサプライヤーＡ３００の中から製品情報ＰＩを提供した防振ゴムサプライヤーＡ３００を識別する情報である。防振ゴムＩＤとは、防振ゴム製品のカタログ品番、型番又は名称等によって識別される、防振ゴム製品の種類を示す情報である。この防振ゴムＩＤは、各防振ゴムサプライヤーＡ３００がそれぞれ独自に付番した情報であってもよい。
図６に示す一例において、製品情報ＰＩ１には、サプライヤーＩＤ“Ｓ０００１”と、防振ゴムＩＤ“０００１”と、サイズ“外形：５０、幅：５０、…”と、特性“ばね定数Ｋｓ：３００−５００、ストローク：±３、線形域幅：１．５、…”と、信頼性“強度：１０ｋＮ、耐久５０％：５０万回、耐久１００％：５万回、…”と、価格“単価：５００、…”との各情報が互いに対応付けられている。これと同様に、製品情報ＰＩ２には、サプライヤーＩＤ“Ｓ０００１”と、防振ゴムＩＤ“０００２”と、サイズ“外形：５０、幅：６０、…”と、特性“ばね定数Ｋｓ：３００−５００、ストローク：±３、線形域幅：１．５、…”と、信頼性“強度：１５ｋＮ、耐久５０％：５０万回、耐久１００％：５万回、…” と、価格“単価：７５０、…”との各情報が互いに対応付けられている。また、製品情報ＰＩ３には、サプライヤーＩＤ“Ｓ０００２”と、防振ゴムＩＤ“ＢＧ００５１”と、サイズ“外形：５０、幅：５０、…”と、特性“ばね定数Ｋｓ：３００−５００、ストローク：±５、線形域幅：４．０、…”と、信頼性“強度：２０ｋＮ、耐久５０％：５０万回、耐久１００％：５万回、…” と、価格“単価：１０００、…”との各情報が互いに対応付けられている。
この一例では、製品情報ＰＩは、製品情報ＰＩ１と製品情報ＰＩ２とが、いずれもサプライヤーＩＤ“Ｓ０００１”である防振ゴムサプライヤーＡ３００から提供されていることを示す。ここで、サイズは、防振ゴム製品の寸法を示す情報である。特性は、防振ゴム製品の製品特性を示す情報である。信頼性は、防振ゴム製品の耐久性能を示す情報である。価格は、防振ゴム製品の金額を示す情報である。
【００３２】
図３に戻り、独自ロジック記憶部６ｂは、情報提供装置３から独自ロジック情報ＤＬＩを取得する。独自ロジック記憶部６ｂは、情報提供装置３から取得した独自ロジック情報ＤＬＩを記憶する。
ここで、独自ロジック情報ＤＬＩについて説明する。独自ロジック情報ＤＬＩは、防振ゴム製品を選定する選定ロジックの一種である独自ロジックを含む情報である。
選定ロジックとは、防振ゴム製品提示装置１がユーザーＡ２００の要求仕様である要求情報ＲＩに応じた防振ゴム製品を選定する際の選定方法である。
選定ロジックには、標準ロジックと、独自ロジックとが含まれる。標準ロジックとは、防振ゴム製品提示装置１において標準的に提供される選定ロジックであり、複数の防振ゴムサプライヤーＡ３００の防振ゴム製品に共通して適用可能である。独自ロジックとは、標準ロジックとは異なり、防振ゴムサプライヤーごとに個別に提供される選定ロジックである。ある防振ゴムサプライヤーから提供される独自ロジックと、他の防振ゴムサプライヤーから提供される独自ロジックとは、その内容が互いに異なる場合がある。
【００３３】
標準ロジックとは、プラットフォーム提供者Ａ１００により提供される選定ロジックである。標準ロジックは複数種類の標準ロジックが存在してもよい。
標準ロジックの種類及び標準ロジックの内容は、標準ロジック情報ＳＬＩによって示される。標準ロジック情報ＳＬＩとは、標準ロジック記憶部６ａに記憶される標準ロジックを含む情報である。
【００３４】
独自ロジックとは、防振ゴムサプライヤーＡ３００により提供される選定ロジックである。１つの防振ゴムサプライヤーＡ３００が複数の独自ロジックを提供することができる。また、複数の防振ゴムサプライヤーＡ３００がそれぞれの独自ロジックを提供することができる。ここで、防振ゴムサプライヤーＡ３００が行う特性解析の精度は、防振ゴムサプライヤーＡ３００ごとに異なっている場合がある。防振ゴムサプライヤーＡ３００は、防振ゴム製品提示装置１に独自ロジックを提供することにより、ユーザーＡ２００の要求情報ＲＩに合った防振ゴム製品を提示することができる。つまり、防振ゴムサプライヤーＡ３００は、他の防振ゴムサプライヤーＡ３００や、ユーザーＡ２００に、特性解析の手法を知られずに、ユーザーＡ２００の要求情報ＲＩに合った防振ゴム製品を提示することができる。したがって、特性解析の精度が高い手法をノウハウとして持つ防振ゴムサプライヤーＡ３００は、他の防振ゴムサプライヤーＡ３００やユーザーＡ２００に特性解析の手法を知られずに、独自ロジックを提供することができる。
したがって、特性解析の精度が高い手法をノウハウとして持つ防振ゴムサプライヤーＡ３００が独自ロジックを提供すれば、標準的な選定方法である標準ロジックと比較して、精度が高い場合がある。
【００３５】
独自ロジック記憶部６ｂは、防振ゴム製品提示装置１からの要求に応じて、防振ゴム製品提示装置１に対して独自ロジック情報ＤＬＩを提供する。
ここで、独自ロジック情報ＤＬＩは各部品サプライヤーのノウハウである情報である。したがって、ノウハウを公開したくない防振ゴムサプライヤーＡ３００は、自身で独自ロジック記憶部６ｂを所有していてもよい。独自ロジック記憶部６ｂは、防振ゴム製品提示装置１に備えられていてもよいし、それぞれの防振ゴムサプライヤーＡ３００が独自で備えていてもよい。
【００３６】
情報提供装置３は、製品情報記憶部４に製品情報ＰＩを提供する。情報提供装置３は、独自ロジック記憶部６ｂに独自ロジック情報ＤＬＩを提供する。情報提供装置３は、防振ゴム製品提示装置１にサプライヤー識別情報ＳＩＤを提供する。
本実施形態の一例では、情報提供装置３は、防振ゴムサプライヤーＡ３００に備えられている。また防振ゴム製品提示システムＡには、複数の防振ゴムサプライヤーＡ３００が参加する場合がある。したがって、情報提供装置３は、複数の防振ゴムサプライヤーＡ３００のそれぞれに備えられている。
【００３７】
図３に戻り、表示部５は、防振ゴム製品提示装置１が提示する提案部品情報ＰＰ及び見積情報ＣＩを表示する装置である。表示部５は、防振ゴム製品提示装置１から提案部品情報ＰＰ、見積情報ＣＩ、又はその両方を取得すると、取得した情報を表示する。表示部５は、例えば液晶表示面を備えており、提示部４００が出力する画像情報に基づいて、提案部品情報ＰＰと、見積情報ＣＩとを含む画像を表示する。なお、表示部５は、画像表示装置であるとして説明するが、これに限られず、プリンタ装置やスピーカ装置などの情報出力装置として構成されていてもよい。
【００３８】
［防振ゴム製品提示装置１の機能構成］
防振ゴム製品提示装置１は、識別部８００と、取得部７００と、製品選択部２００と、標準ロジック記憶部６ａと、製品情報取得部３００と、提示部４００とを備える。
【００３９】
識別部８００は、ユーザー識別部８１０と、ユーザー情報記憶部８２０と、サプライヤー識別部８３０と、サプライヤー情報記憶部８４０と、データ供給判定部８５０とを備える。
ユーザー識別部８１０は、操作検出部２からユーザー識別情報ＵＩＤを取得する。
ユーザー情報記憶部８２０は、ユーザー識別情報ＵＩＤと、ユーザーを示す情報、及びユーザー許可情報とを対応付けて記憶する。ここで、ユーザー許可情報とは、ユーザーが防振ゴム製品提示装置１を利用するためにプラットフォーム提供者Ａ１００の許可を得ているか否かを示す情報である。
ユーザーＡ２００は、プラットフォーム提供者Ａ１００と契約を結ぶことにより、プラットフォーム提供者Ａ１００から防振ゴム製品提示装置１の利用許可を得る。プラットフォーム提供者Ａ１００は、ユーザーＡ２００と契約を結ぶと、ユーザー識別情報ＵＩＤに含まれるユーザー許可情報を、許可済みであることを示す情報に変更する。ユーザー識別部８１０は、ユーザー情報記憶部８２０に記憶されるユーザー識別情報ＵＩＤ及びユーザー許可情報を参照し、ユーザーＡ２００の許可情報が許可済みであることを検出した場合、当該ユーザーはプラットフォーム提供者Ａ１００と契約を結び、防振ゴム製品提示装置１の使用が可能となったユーザーであると識別する。
なお、プラットフォーム提供者Ａ１００とユーザーＡ２００とは、防振ゴム製品提示装置１を利用できる期間を限定する契約を結ぶことも可能である。プラットフォーム提供者Ａ１００は期間を限定する契約を結んだ場合、当該契約期間経過後に、ユーザー識別情報ＵＩＤに含まれるユーザー許可情報を未許可であることを示す情報に変更する。ユーザー識別部８１０は、ユーザー情報記憶部８２０に記憶されるユーザー識別情報ＵＩＤ及びユーザー許可情報を参照し、ユーザーＡ２００の許可情報が未許可であることを検出した場合、当該ユーザーはプラットフォーム提供者Ａ１００との契約を結んでいない、あるいは契約期間が経過したことにより、防振ゴム製品提示装置１の使用が不可能となったユーザーであると識別する。
【００４０】
図４は、ユーザー情報記憶部８２０が記憶するユーザー識別情報ＵＩＤの一例である。この一例では、ユーザー識別情報ＵＩＤａ、ユーザー識別情報ＵＩＤｂ及びユーザー識別情報ＵＩＤｃであるユーザーが示されている。
ここで、ユーザー識別情報ＵＩＤａを例に説明する。ユーザー識別情報ＵＩＤａのユーザーＩＤはＵ０００１であり、ユーザー名は〇〇〇自動車株式会社である。ユーザー識別情報ＵＩＤａのユーザー許可情報は許可済であることを示している。したがって、ユーザー識別情報ＵＩＤａは、防振ゴム製品提示装置１を利用することができる。一方、ユーザー識別情報ＵＩＤｃのユーザーＩＤはＵ０００３であり、ユーザー名は株式会社△△△である。ユーザー識別情報ＵＩＤｃのユーザー許可情報は未許可であることを示している。したがって、ユーザー識別情報ＵＩＤｃは、防振ゴム製品提示装置１を利用することができない。
【００４１】
図３に戻って、ユーザー識別部８１０は、操作検出部２から取得したユーザー識別情報ＵＩＤを検索キーとして、ユーザー情報記憶部８２０を検索する。つまりユーザー識別部８１０は、ユーザーＡ２００を識別する情報であるユーザー識別情報ＵＩＤに基づいて、ユーザーＡ２００を識別する。また、ユーザー識別部８１０は、ユーザー識別情報ＵＩＤに基づいて、ユーザーＡ２００が防振ゴム製品提示装置１を利用可能である許可済ユーザーであるか否かを識別する。ユーザー識別部８１０は、ユーザー情報記憶部８２０を検索した結果であるユーザー判定情報ＵＩＤＲを、データ供給判定部８５０に提供する。
【００４２】
サプライヤー識別部８３０は、情報提供装置３からサプライヤー識別情報ＳＩＤを取得する。
サプライヤー情報記憶部８４０は、サプライヤー識別情報ＳＩＤと、サプライヤーを示す情報及び許可情報とを対応付けて記憶する。ここで、サプライヤー許可情報とは、サプライヤーが防振ゴム製品提示装置１を利用するためにプラットフォーム提供者Ａ１００の許可を得ているか否かを示す情報である。
上述したように、防振ゴムサプライヤーＡ３００は、プラットフォーム提供者Ａ１００と契約を結ぶことにより、プラットフォーム提供者Ａ１００から防振ゴム製品提示装置１の利用許可を得る。プラットフォーム提供者Ａ１００は、防振ゴムサプライヤーＡ３００と契約を結ぶと、サプライヤー識別情報ＳＩＤに含まれるサプライヤー許可情報を、許可済みであることを示す情報に変更する。サプライヤー識別部８３０は、サプライヤー情報記憶部８４０に記憶されるサプライヤー識別情報ＳＩＤ及びサプライヤー許可情報を参照し、防振ゴムサプライヤーＡ３００の許可情報が許可済みであることを検出した場合、当該サプライヤーはプラットフォーム提供者Ａ１００と契約を結び、防振ゴム製品提示装置１の使用が可能となった防振ゴムサプライヤーであると識別する。
なお、プラットフォーム提供者Ａ１００と防振ゴムサプライヤーＡ３００とは、防振ゴム製品提示装置１を利用できる期間を限定する契約を結ぶことも可能である。プラットフォーム提供者Ａ１００は期間を限定する契約を結んだ場合、当該期間経過後に、サプライヤー識別情報ＳＩＤに含まれるサプライヤー許可情報を未許可であることを示す情報に変更する。サプライヤー識別部８３０は、サプライヤー情報記憶部８４０に記憶されるサプライヤー識別情報ＳＩＤ及びサプライヤー許可情報を参照し、防振ゴムサプライヤーＡ３００の許可情報が未許可であることを検出した場合、当該サプライヤーはプラットフォーム提供者Ａ１００との契約を結んでいない、あるいは契約期間が経過したことにより、防振ゴム製品提示装置１の使用が不可能となったサプライヤーであると識別する。
【００４３】
図５は、サプライヤー情報記憶部８４０が記憶するサプライヤー識別情報ＳＩＤの一例である。この一例では、サプライヤー識別情報ＳＩＤａ、サプライヤー識別情報ＳＩＤｂ、サプライヤー識別情報ＳＩＤｃであるサプライヤーが示されている。
ここで、サプライヤー識別情報ＳＩＤａを例に、サプライヤー情報記憶部８４０が記憶するサプライヤー識別情報ＳＩＤに含まれる情報について説明する。サプライヤー識別情報ＳＩＤａのサプライヤーＩＤはＳ０００１であり、サプライヤー名は〇〇〇株式会社である。サプライヤー識別情報ＳＩＤａのサプライヤー許可情報は許可済であることを示している。したがって、サプライヤー識別情報ＳＩＤａは、防振ゴム製品提示装置１を利用することができる。一方、サプライヤー識別情報ＳＩＤｃのサプライヤーＩＤはＳ０００３であり、サプライヤー名は株式会社▽▽▽である。サプライヤー識別情報ＳＩＤｃのサプライヤー許可情報は未許可であることを示している。したがってサプライヤー識別情報ＳＩＤｃで示される防振ゴムサプライヤーＡ３００は、防振ゴム製品提示装置１を利用することができない。
【００４４】
図３に戻って、サプライヤー識別部８３０は、情報提供装置３から取得したサプライヤー識別情報ＳＩＤを検索キーとして、サプライヤー情報記憶部８４０を検索する。つまりサプライヤー識別部８３０は、防振ゴムサプライヤーＡ３００を識別する情報であるサプライヤー識別情報ＳＩＤに基づいて、防振ゴムサプライヤーＡ３００を識別する。また、サプライヤー識別部８３０は、サプライヤー識別情報ＳＩＤに基づき、サプライヤーが防振ゴム製品提示装置１を利用可能である許可済サプライヤーであるか否かを識別する。サプライヤー識別部８３０は、サプライヤー情報記憶部８４０を検索した結果であるサプライヤー判定情報ＳＩＤＲを、データ供給判定部８５０に提供する。
【００４５】
データ供給判定部８５０は、製品選択部２００が処理を行うか否かの判定を行う。データ供給判定部８５０は、ユーザー識別部８１０から取得したユーザー判定情報ＵＩＤＲと、サプライヤー識別部８３０から取得したサプライヤー判定情報ＳＩＤＲとに基づいて、判定を行う。
例えばデータ供給判定部８５０は、ユーザー識別部８１０から取得したユーザー判定情報ＵＩＤＲが示すユーザー許可情報が許可済みを示しており、サプライヤー識別部８３０から取得したサプライヤー判定情報ＳＩＤＲが示すサプライヤー許可情報が許可済みを示している場合、製品選択部２００は提示部４００に対してデータの供給が可能である。ユーザー判定情報ＵＩＤＲ又はサプライヤー判定情報ＳＩＤＲのいずれか一方でも未許可を示していた場合、製品選択部２００は提示部４００に対してデータの供給をしない。つまり、製品選択部２００は、ユーザー識別部８１０により許可済ユーザーと識別されたユーザーＡ２００から取得した要求特性情報である要求情報ＲＩに基づき、サプライヤー識別部８３０により許可済サプライヤーと識別された防振ゴムサプライヤーＡ３００の製品情報ＰＩに含まれる防振ゴム製品の複数の種類の中から、防振ゴム製品の種類を選定する。
データ供給判定部８５０は、判定した結果である識別判定情報ＩＤＲを製品選択部２００に提供する。
【００４６】
取得部７００は、ロジック指定情報取得部７１０と、要求特性情報取得部７２０とを備える。
ここで、ロジック指定情報ＬＩとは、選定ロジックを指定する情報である。ロジック指定情報ＬＩが独自ロジックを指定する場合、ロジック指定情報ＬＩは、どの防振ゴムサプライヤーＡ３００が提供する独自ロジックであるかの情報も含む。言い換えれば、ロジック指定情報ＬＩとは、防振ゴム製品の製品特性と、防振ゴム製品に対する要求特性である要求情報ＲＩとに基づいて、複数の種類の防振ゴム製品の中から要求情報ＲＩを満たす種類の防振ゴム製品を選定する選定ロジックの種類を指定する情報である。
ロジック指定情報取得部７１０は、操作検出部２からロジック指定情報ＬＩを取得する。ロジック指定情報取得部７１０は、操作検出部２から取得したロジック指定情報ＬＩを製品選択部２００に提供する。
【００４７】
要求特性情報取得部７２０は、防振ゴムに対する要求特性である要求情報ＲＩを示す要求特性情報を取得する。また、要求特性情報取得部７２０は、ユーザーＡ２００が要求する防振ゴム製品の発注予定情報である発注情報ＯＩを取得する。例えば発注情報ＯＩは、ユーザーＡ２００が購入を予定している防振ゴム製品の数を示す発注数である。ここでいう防振ゴム製品の発注数は、仮値、確定値、または予測値のいずれであってもよい。発注情報ＯＩは見積金額の算出に用いられる情報であり、その防振ゴム製品を使用した製品（例えば、ユーザーＡ２００が自動車メーカーの場合は自動車）の量産開始時期、月別の見込みロット数及び総ロット数等の情報であってもよい。要求特性情報取得部７２０は、操作検出部２から取得した要求情報ＲＩ及び発注情報ＯＩを製品選択部２００に提供する。
【００４８】
製品情報取得部３００は、製品情報記憶部４から製品情報ＰＩを取得する。複数の防振ゴムサプライヤーＡ３００はそれぞれの製品情報ＰＩを製品情報記憶部４に記憶させる。つまり製品情報取得部３００は、複数の防振ゴムサプライヤーＡ３００からそれぞれ提供される防振ゴム製品の製品特性を、防振ゴム製品の種類ごとに示す製品情報ＰＩを取得する。製品情報取得部３００は、製品情報記憶部４から取得した製品情報ＰＩを、製品選択部２００及び提示部４００に提供する。
【００４９】
標準ロジック記憶部６ａは、防振ゴム製品提示装置１が防振ゴム製品を選定する選定ロジックのうち、標準ロジックを記憶する。標準ロジックはプラットフォーム提供者Ａ１００により提供される選定ロジックである。標準ロジック記憶部６ａは、製品選択部２００に標準ロジックの種類及び標準ロジックの内容を示す情報である標準ロジック情報ＳＬＩを提供する。
この一例では、標準ロジックを１種類に限定しているが、標準ロジック記憶部６ａは複数種類の標準ロジックを備えていてもよい。
【００５０】
製品選択部２００は、解析部２１０と、見積部２２０と、ロジック選択部２３０とを備える。製品選択部２００は、要求特性情報取得部７２０が取得する要求特性情報である要求情報ＲＩと、製品情報取得部３００が取得する製品情報ＰＩに含まれる防振ゴム製品の種類ごとの特性とに基づく解析結果を選定条件に用いることにより、製品情報取得部３００が取得する製品情報ＰＩの中から、防振ゴム製品の種類を選定する。
ロジック選択部２３０は、ロジック指定情報取得部７１０が取得したロジック指定情報ＬＩを取得する。ロジック選択部２３０はロジック指定情報ＬＩが示している選定ロジックを取得する。ロジック選択部２３０は、取得した選定ロジックが標準ロジックであるか独自ロジックであるかを判定する。つまり、ロジック選択部２３０は、ロジック指定情報取得部７１０が取得するロジック指定情報ＬＩに基づいて、複数の種類の選定ロジックの中からロジック指定情報ＬＩが指定する種類の選定ロジックを選択する。また、ロジック選択部２３０は、ユーザー識別部８１０が識別する結果と、サプライヤー識別部８３０が識別する結果とに基づいて、複数の種類の選定ロジックの中から選定ロジックであるロジック選択情報ＬＳＩを選択する。
ロジック指定情報ＬＩが示している選定ロジックが標準ロジックである場合、標準ロジック記憶部６ａから標準ロジック情報ＳＬＩを取得する。ロジック指定情報ＬＩが示している選定ロジックが独自ロジックである場合、独自ロジック記憶部６ｂから独自ロジック情報ＤＬＩを取得する。ロジック選択部２３０は取得した標準ロジック情報ＳＬＩ又は独自ロジック情報ＤＬＩを、ロジック選択情報ＬＳＩとして解析部２１０に提供する。
【００５１】
解析部２１０は、データ供給判定部８５０から識別判定情報ＩＤＲを取得する。解析部２１０は、取得した識別判定情報ＩＤＲに基づき、解析処理を行うか否かの判断をする。つまり、解析部２１０は、ユーザー識別部８１０が識別する結果と、サプライヤー識別部８３０が識別する結果とに基づいて、製品情報取得部３００が取得する製品情報ＰＩに含まれる防振ゴム製品の複数の種類の中から、防振ゴム製品の種類を選定する。
識別判定情報ＩＤＲが、ユーザー許可情報又はサプライヤー許可情報のいずれかが未許可であることにより、データ供給が不可能である事を示している場合、解析処理は行わない。ユーザー許可情報が許可済みであり、サプライヤー許可情報が許可済みであることにより、データ供給可能である事を示している場合、解析処理を行う。解析部２１０は、ロジック選択部２３０からロジック選択情報ＬＳＩを取得し、製品情報取得部３００から製品情報ＰＩを取得し、要求特性情報取得部７２０から要求情報ＲＩを取得する。
解析部２１０は、取得したロジック選択情報ＬＳＩに対し、要求情報ＲＩと製品情報ＰＩを適用することにより、提案部品情報ＰＰを選定する。つまり、解析部２１０は、ロジック選択部２３０が選択する前記選定ロジックに、要求特性情報取得部７２０が取得する要求特性情報である要求情報ＲＩの少なくとも一部を適用することにより、製品情報取得部３００が取得する製品情報ＰＩに含まれる防振ゴム製品の複数の種類の中から、防振ゴム製品の種類を選定する。解析部２１０は、選定した提案部品情報ＰＰを見積部２２０及び提示部４００に提供する。
【００５２】
見積部２２０は、要求特性情報取得部７２０から発注情報ＯＩを取得し、解析部２１０から提案部品情報ＰＰを取得し、製品情報取得部３００から製品情報ＰＩを取得する。見積部２２０は、取得した発注情報ＯＩ、提案部品情報ＰＰ、及び製品情報ＰＩに基づき、見積情報ＣＩを算出する。見積情報ＣＩは、提案部品情報ＰＰについての価格に関する情報を含んだ情報である。ここで、価格に関する情報とは、ユーザーＡ２００が防振ゴム製品を発注する際の数量、最低発注数量、最小発注単位、及び出荷形態等により変動する金額である。
見積部２２０は、提示部４００に見積情報ＣＩを提供する。つまり、提示部４００は、要求特性情報取得部７２０が取得する要求特性情報である要求情報ＲＩと製品情報取得部３００が取得する製品情報ＰＩと防振ゴム製品の価格に関する情報とに基づく、防振ゴムの見積金額を提示する。
【００５３】
提示部４００は、解析部２１０から提案部品情報ＰＰを取得し、見積部２２０から見積情報ＣＩを取得する。提示部４００は、表示部５に対し、提案部品情報ＰＰ及び見積情報ＣＩを提供する。つまり、提示部４００は、製品選択部２００が選定する防振ゴム製品の種類を提示する。
なお、提示部４００が出力する情報は、防振ゴム製品の種類を示す文字情報でもよい。また、提示部４００が出力する情報は、防振ゴム製品の種類を示す情報と、当該種類の防振ゴム製品の製品特性とであってもよい。
【００５４】
［防振ゴム製品提示装置１の動作の一例］
図７は、実施形態における防振ゴム製品提示装置１の一連の動作の一例を示す図である。図７を参照して、ユーザーＡ２００が防振ゴム製品提示装置１を使用して、所望の防振ゴム製品を検索する場合の一連の動作について説明する。
この一例では、防振ゴム製品提示装置１は、防振ゴム製品を選定する選定ロジックをユーザーＡ２００に選択させ、選択された選定ロジックに基づき防振ゴム製品の選定を行い、選定された防振ゴム製品を表示部に表示させる機能を提供する。
【００５５】
（ステップＳ１０）ユーザー識別部８１０は、ユーザーＡ２００の操作を検出したことによりユーザー識別情報を取得する。ステップＳ１０についての詳細を、図８Ａを使用して説明する。
図８Ａは、実施形態における防振ゴム製品提示装置のユーザー識別情報取得動作の表示の一例を示す図である。提示部４００はユーザー識別情報ＵＩＤを取得するユーザーＩＤ取得画面Ｔ８１０を表示させる。ユーザーＩＤ取得画面Ｔ８１０は、ユーザー識別情報入力テキストボックスＴ８２０を画面の構成要素として備える。操作検出部２は、ユーザー識別情報入力テキストボックスＴ８２０に対する入力を検出する。操作検出部２は、検出したユーザー識別情報ＵＩＤをユーザー識別部８１０に提供する。
【００５６】
（ステップＳ１２）図７に戻り、防振ゴム製品提示装置１は、入力されたユーザー識別情報ＵＩＤが許可済みのユーザーのものであるか否かを判定する。ユーザー識別部８１０は、操作検出部２から取得したユーザー識別情報ＵＩＤを検索キーとして、ユーザー情報記憶部８２０を検索する。ユーザー識別部８１０は、取得したユーザー識別情報ＵＩＤが示すユーザーのユーザー許可情報が、許可済みであるか未許可であるかを識別する。識別した情報をユーザー判定情報ＵＩＤＲとしてデータ供給判定部８５０に提供する。
データ供給判定部８５０は、取得したユーザー判定情報ＵＩＤＲが許可済みであることを示していた場合（ステップＳ１２；ＹＥＳ）には、処理をステップＳ１５に進める。データ供給判定部８５０は、取得したユーザー判定情報ＵＩＤＲが未許可であることを示していた場合（ステップＳ１２；ＮＯ）には、処理をステップＳ９９に進める。
【００５７】
（ステップＳ１５）提示部は防振ゴム製品を選定する選定ロジックを選択させるロジック指定情報取得画面Ｔ８５０を表示させる。ステップＳ１５についての詳細を、図８Ｂを使用して説明する。
図８Ｂは、実施形態における防振ゴム製品提示装置のロジック指定情報取得動作の表示の一例を示す図である。提示部４００はロジック指定情報を取得するロジック指定情報取得画面Ｔ８５０を表示させる。ロジック指定情報取得画面Ｔ８５０は、ロジック指定ボタンＴ８６０を画面の構成要素として備えている。ロジック指定ボタンＴ８６０は、標準ロジック指定ボタンＴ８６１と独自ロジック指定ボタンＴ８６２とを画面の構成要素として備えている。標準ロジック指定ボタンＴ８６１及び独自ロジック指定ボタンＴ８６２は、いずれも、ユーザーＡ２００よる選択を検出する操作画像である。操作検出部２は、標準ロジック指定ボタンＴ８６１又は独自ロジック指定ボタンＴ８６２のいずれかに対する選択動作を検出する。操作検出部２は、検出した選択動作がいずれの操作画像を選択したかを示す情報をロジック指定情報取得部７１０に提供する。ロジック指定情報取得部７１０は、選択されたロジック指定ボタンＴ８６０が標準ロジック指定ボタンＴ８６１であった場合、ロジック指定情報ＬＩは標準ロジックであるとし、選択されたロジック指定ボタンＴ８６０が独自ロジック指定ボタンＴ８６２であった場合、ロジック指定情報ＬＩは独自ロジックであるとする。
【００５８】
（ステップＳ２０）図７に戻り、ロジック指定情報取得部７１０は取得したロジック指定情報ＬＩをロジック選択部２３０に提供する。ロジック選択部２３０は、取得したロジック指定情報ＬＩが標準ロジックであるか、独自ロジックであるかを判定する。ロジック選択部２３０は、取得したロジック指定情報ＬＩが標準ロジックを示す場合（ステップＳ２０；ＹＥＳ）には、処理をステップＳ３０に進める。ロジック選択部２３０は、取得したロジック指定情報ＬＩが独自ロジックを示す場合（ステップＳ２０；ＮＯ）には、処理をステップＳ５０に進める。
【００５９】
（ステップＳ３０）ロジック選択部２３０は、ロジック指定情報ＬＩに基づき、標準ロジック記憶部６ａから標準ロジック情報ＳＬＩを取得する。ロジック選択部２３０は、取得した標準ロジック情報ＳＬＩを、ロジック選択情報ＬＳＩとして解析部２１０に提供する。解析部２１０は、ロジック選択情報ＬＳＩに示される標準ロジック用パラメータを提示部４００に提供する。提示部４００は取得した標準ロジック用パラメータに基づき、標準ロジック用パラメータ入力画面を表示させる。
図９は、実施形態における標準ロジック用パラメータ取得動作の表示の一例を示す図である。この一例では、提示部４００は、標準ロジック用パラメータ取得画面Ｔ９１０を表示させる。標準ロジック用パラメータ取得画面Ｔ９１０は、パラメータ入力表Ｔ９２０と、決定ボタンＴ９５０とを画面の構成要素として備えている。
パラメータ入力表Ｔ９２０には、指定された標準ロジックで使用される各パラメータが記載されている。この一例では、絶対ばね定数、位相角、動的ばね定数、損失ばね定数、減衰係数、損失係数が標準ロジック用パラメータとして挙げられている。
各パラメータには、パラメータに対応するテキストボックスが備えられている。ユーザーＡ２００は各テキストボックスに、パラメータに応じた要求値を入力する。
操作検出部２は、パラメータ入力表Ｔ９２０に備えられたテキストボックスに文字列または数値の入力操作を検出すると、テキストボックスに入力された文字列または数値を取得する。操作検出部２は、取得した文字列または数値を、要求情報ＲＩとして要求特性情報取得部７２０に提供する。要求特性情報取得部７２０は、取得した要求情報ＲＩを解析部に提供する。
【００６０】
（ステップＳ４０）図７に戻り、製品選択部２００は、標準ロジックにより要求情報ＲＩに基づいた解析を行う。製品情報取得部３００は、製品情報記憶部４に記憶されている製品情報ＰＩを取得し、解析部２１０に提供する。解析部２１０は、ロジック選択部２３０から取得したロジック選択情報ＬＳＩと、要求特性情報取得部７２０から取得した要求情報ＲＩと、製品情報取得部３００から取得した製品情報ＰＩに基づいて解析を行う。解析した結果を提案部品情報ＰＰとして提示部に提供する。
【００６１】
［複数の防振ゴムサプライヤーＡ３００が独自ロジックを提供している場合の処理］
前述したように、独自ロジックは防振ゴムサプライヤーＡ３００により提供される。防振ゴム製品提示装置１は複数の防振ゴムサプライヤーＡ３００により使用される場合がある。したがって、複数の防振ゴムサプライヤーＡ３００により複数の独自ロジックが提供される場合がある。独自ロジックを提供している防振ゴムサプライヤーＡ３００が複数ある場合、ユーザーＡ２００は、どの防振ゴムサプライヤーＡ３００の独自ロジックを使用するかの選択を行う。ステップＳ５０及び、ステップＳ６０では、ユーザーＡ２００が複数の独自ロジックを提供する防振ゴムサプライヤーＡ３００の中から、所望のサプライヤーを選択する動作について説明する。
なお、ステップＳ５０及びステップＳ６０は、防振ゴム製品提示システムＡの実施形態において、必須の処理ではない。
【００６２】
（ステップＳ５０）ロジック選択部２３０は、ロジック指定情報取得部７１０から取得したロジック指定情報ＬＩが独自ロジックである場合、独自ロジック記憶部６ｂより、独自ロジックを提供するサプライヤーのリストを取得する。ロジック選択部２３０は、独自ロジックを提供するサプライヤーのリストを提示部４００に提供する。提示部４００は、独自ロジックを提供するサプライヤーのリストを表示させる。
図１０は、実施形態における防振ゴム製品提示装置のサプライヤー選択動作の表示の一例を示す図である。提示部４００は、独自ロジック提供サプライヤー選択画面Ｔ１０１０を表示させる。
独自ロジック提供サプライヤー選択画面Ｔ１０１０は、独自ロジックを提供するサプライヤーのリストを、サプライヤーリストＴ１０２０として備えている。この一例では、〇〇〇株式会社、□□□工業、及び株式会社▽▽▽が独自ロジックを提供するサプライヤーである。
サプライヤーリストＴ１０２０は、サプライヤー毎に、サプライヤー選択ボタンＴ１０２１を備えている。操作検出部２は、サプライヤー選択ボタンＴ１０２１の選択を検出すると、選択されたサプライヤーの情報をロジック指定情報取得部７１０に提供する。ロジック指定情報取得部７１０は、選択されたサプライヤーの情報をロジック選択部２３０に提供し処理をステップＳ６０に進める。
【００６３】
（ステップＳ６０）サプライヤー選択ボタンＴ１０２１に対する操作を検出すると、識別部８００は、選択されたサプライヤーが許可済みサプライヤーであるか否かを判定する。ユーザーＡ２００とプラットフォーム提供者Ａ１００とが結んでいる契約によって、ユーザーＡ２００が使用できる独自ロジックは、制限されている場合がある。また、防振ゴムサプライヤーＡ３００とプラットフォーム提供者Ａ１００とが結んでいる契約によって、独自ロジックを提供できるユーザーＡ２００が制限されている場合がある。そこで、識別部８００は、ユーザーＡ２００に対してデータを供給するか否かを判定する。
データ供給判定部８５０は、サプライヤー識別部８３０から、サプライヤー判定情報ＳＩＤＲを取得する。データ供給判定部８５０は、サプライヤー判定情報ＳＩＤＲと、ステップＳ１２で取得したユーザー判定情報ＵＩＤＲとに基づいて、当該ユーザーが使用できるサプライヤーの種類を識別判定情報ＩＤＲとして解析部２１０に提供する。
解析部２１０は、データ供給判定部８５０から取得した識別判定情報ＩＤＲと、ロジック指定情報取得部７１０が取得した防振ゴムサプライヤーＡ３００の情報とに基づいて、許可済みサプライヤーが選択されたか否かを判定する。許可済みサプライヤーである場合、すなわち（ステップＳ６０；ＹＥＳ）には、処理をステップＳ６５に進める。許可済みサプライヤーでない場合、すなわち（ステップＳ６０；ＮＯ）には、処理をステップＳ９９に進める。
【００６４】
以上が、ユーザーＡ２００が複数の独自ロジックを提供する防振ゴムサプライヤーＡ３００の中から、所望のサプライヤーを選択する動作についての説明である。
なお、上述したようにステップＳ５０及びステップＳ６０は、防振ゴム製品提示システムＡの実施形態において、必須の処理ではない。
【００６５】
（ステップＳ６５）ロジック選択部２３０は、ロジック指定情報取得部７１０から取得した、選択されたサプライヤーの情報に基づいて、独自ロジック記憶部６ｂから独自ロジック情報ＤＬＩを取得する。ロジック選択部２３０は、取得した独自ロジック情報ＤＬＩを、ロジック選択情報ＬＳＩとして解析部２１０に提供する。解析部２１０は、ロジック選択情報ＬＳＩに示される独自ロジック用パラメータを提示部４００に提供する。提示部４００は取得した独自ロジック用パラメータに基づき、独自ロジック用パラメータ入力画面を表示させる。
図１１は、実施形態における防振ゴム製品提示装置の独自ロジック用パラメータ取得動作の表示の一例を示す図である。この一例では、提示部４００は、独自ロジック用パラメータ取得画面Ｔ１１１０を表示させる。独自ロジック用パラメータ取得画面Ｔ１１１０は、標準パラメータ入力表Ｔ１１２０と、独自パラメータ入力表Ｔ１１３０と、決定ボタンＴ１１５０とを画面の構成要素として備えている。
標準パラメータ入力表Ｔ１１２０は、標準ロジック用パラメータと同一のパラメータを取得する。この一例では、絶対ばね定数、位相角、動的ばね定数、損失ばね定数、減衰係数、損失係数が標準ロジック用パラメータとして挙げられている。この一例では、標準パラメータと同一の場合を例に挙げたが、独自ロジック用パラメータ取得ステップで取得するパラメータは、標準ロジック用パラメータと同一でなくてもよく、独自ロジックを提供する防振ゴムサプライヤーＡ３００ごとに異なっていてもよい。
独自パラメータ入力表Ｔ１１３０は、独自パラメータ入力テキストボックスＴ１１３１と、独自ロジック特性データＴ１１３２とを画面の構成要素として備えている。この一例では、ブッシュの微振幅動特性を指数関数とした解析モデルを使用している。
ゴムの減衰は振幅依存成分と速度依存成分が混在しているが、従来であれば、一般的な規格において、両者を損失係数で一緒に取り扱っていた。そのため、過渡領域においては振幅依存成分と速度依存成分とを分けて考える必要があった。そこで、この一例では、振幅依存成分を指数関数とし、２つのパラメータを用いることにより表現可能としている。したがってこの一例において、ａとｂの２つのパラメータを要求情報ＲＩとして取得することで、より詳細な解析が可能となる。
独自パラメータ入力テキストボックスＴ１１３１は、この一例におけるａとｂの２つのパラメータを取得するテキストボックスである。
独自ロジックを提供する防振ゴムサプライヤーＡ３００が複数である場合、それぞれの独自ロジックで取得するパラメータは、独自ロジックごとに異なっている。
ここで、独自ロジックは防振ゴムサプライヤーＡ３００のノウハウである。入力を求めるパラメータにより、他社にその方法が推定される恐れがある。そこで、独自ロジックで使用するパラメータは、実際には使用しないパラメータを取得してもよい。
決定ボタンＴ１１５０は、独自ロジック用パラメータの入力が終了し、次のステップに進むためのボタンである。操作検出部２は、決定ボタンＴ１１５０に対する操作を検出すると、処理をＳ７０に進める。
【００６６】
（ステップＳ７０）図７に戻り、製品選択部２００は、独自ロジックにより要求情報ＲＩに基づいた解析を行う。製品情報取得部３００は、製品情報記憶部４に記憶されている製品情報ＰＩを取得し、解析部２１０に提供する。解析部２１０は、ロジック選択部２３０から取得したロジック選択情報ＬＳＩと、要求特性情報取得部７２０から取得した要求情報ＲＩと、製品情報取得部３００から取得したＰＩに基づいて解析を行う。解析した結果を提案部品情報ＰＰとして提示部に提供する。
【００６７】
（ステップＳ８０）解析部２１０は、ステップＳ４０にて解析した結果、又はステップＳ７０にて解析した結果を提示し、提示した結果が許容範囲内であるか否かの情報を取得する。
図１２は、実施形態における防振ゴム製品提示装置の最終確認動作における表示の一例を示す図である。この一例では、提示部４００は、最終確認画面Ｔ１２００を表示させる。最終確認画面Ｔ１２００は、基本部品情報Ｔ１２１０と、特性情報Ｔ１２２０と、動特性情報Ｔ１２２１と、耐久性情報Ｔ１２３０と、決定ボタンＴ１２４０とを画面の構成要素として備えている。
基本部品情報Ｔ１２１０は、解析部２１０により解析された結果として判定された提案部品情報ＰＰの製品情報ＰＩである。基本部品情報Ｔ１２１０は、提案部品情報ＰＰのカタログ値を示している。
特性情報Ｔ１２２０は、要求情報ＲＩに基づいて解析部２１０が解析を行った結果として判定された提案部品情報ＰＰの特性を示している。
動特性情報Ｔ１２２１は、要求情報ＲＩに基づいて解析部２１０が解析を行った結果として判定された提案部品情報ＰＰの動特性を示している。
耐久性情報Ｔ１２３０は、要求情報ＲＩに基づいた耐久性情報を示している。
決定ボタンＴ１２４０は、許容範囲内ボタンＴ１２４１と、許容範囲外ボタンＴ１２４２とを画面の構成要素として備えている。
操作検出部２は、決定ボタンＴ１２４０に対する操作を検出すると、検出した情報を取得部７００に提供し、処理をステップＳ８５に進める。
【００６８】
（ステップＳ８５）取得部７００は操作検出部２から決定ボタンＴ１２４０の押下情報を取得する。許容範囲内ボタンＴ１２４１が押下された場合、すなわち（ステップＳ８５；ＹＥＳ）には、処理をステップＳ９０に進める。許容範囲外ボタンＴ１２４２が押下された場合、すなわち（ステップＳ８５；ＮＯ）には、防振ゴム製品提示装置１は処理を終了する。
【００６９】
（ステップＳ９９）提示部４００は、ユーザーＡ２００が防振ゴム製品提示装置１を使用することができない旨を表示させる。防振ゴム製品提示装置１は、処理を終了する。
【００７０】
（ステップＳ９０）解析部２１０は、ステップＳ４０にて解析した結果、又はステップＳ７０にて解析した結果である提案部品情報ＰＰを見積部２２０に提供する。見積部２２０は、要求特性情報取得部７２０から発注情報ＯＩを取得する。
図１３は、実施形態における防振ゴム製品提示装置の見積価格提示及び発注動作の一例を示す図である。この一例では、提示部４００は、見積価格提示及び発注画面Ｔ１３１０を提示する。見積価格提示及び発注画面Ｔ１３１０は、発注情報取得テキストボックスＴ１３２０と、見積ボタンＴ１３３０と、見積価格提示表Ｔ１３４０と、発注ボタンＴ１３５０とを画面の構成要素として備えている。
発注情報取得テキストボックスＴ１３２０は、ユーザーＡ２００が各発注情報に対する要求の入力をおこなうテキストボックスである。発注情報とは、ユーザーＡ２００が防振ゴム製品の発注をする予定情報である。この一例では、発注数Ｔ１３２１と、最低発注数Ｔ１３２２と、総ロット数Ｔ１３２３と、希望納期Ｔ１３２４とを発注情報として備えている。要求特性情報取得部７２０は、操作検出部２から、発注情報取得テキストボックスＴ１３２０への入力情報を取得する。
見積ボタンＴ１３３０は、前述した発注情報に基づき見積り金額の計算を開始するボタンである。操作検出部２は、見積ボタンＴ１３３０に対する操作を検出すると、要求特性情報取得部７２０に見積ボタンＴ１３３０が操作されたことを通知する。要求特性情報取得部７２０は、見積ボタンＴ１３３０が操作されたことを見積部２２０に通知する。見積部２２０は、見積ボタンＴ１３３０の押下情報を取得すると、要求特性情報取得部７２０から取得した発注情報ＯＩと、解析部２１０から取得した提案部品情報ＰＰと、製品情報取得部３００から取得した製品情報ＰＩとに基づいて、見積価格の計算を行う。見積部２２０は、算出した見積情報ＣＩを提示部４００に提供する。
【００７１】
提示部４００は、見積情報ＣＩを見積価格提示表Ｔ１３４０として、見積価格提示及び発注画面Ｔ１３１０に表示させる。ユーザーＡ２００は、見積価格提示表Ｔ１３４０に提示された金額が要求を満たしていれば、発注手続きの段階に処理を進める。ユーザーＡ２００は、見積価格提示表Ｔ１３４０に提示された金額が要求を満たしていない場合、再度、発注情報取得テキストボックスＴ１３２０に各発注情報を入力することにより、再度の見積りを行う。
発注ボタンＴ１３５０は、ユーザーＡ２００により発注された注文を防振ゴムサプライヤーＡ３００が受注するためのボタンである。操作検出部２は、発注ボタンＴ１３５０に対する操作を検出すると、取得部７００に通知する。取得部７００は、発注ボタンＴ１３５０が操作された情報を取得すると、不図示の通信部へ提供する。通信部は、防振ゴムサプライヤーＡ３００に対し、発注された防振ゴム製品の情報を通知する。
【００７２】
［実施形態の効果のまとめ］
従来であれば、ユーザーＡ２００と防振ゴムサプライヤーＡ３００とが、互いに情報をやり取りして部品選定を行うような防振ゴム製品については、部品選定に時間がかかっていた。しかしながら以上説明した実施形態を用いれば、防振ゴム製品提示装置１は、ユーザーＡ２００からの要求に基づいた防振ゴム製品を、煩雑な情報のやり取りを経ずに提示することができる。
【００７３】
ここで、部品サプライヤーが行う特性解析の精度は、部品サプライヤーごとに異なっていることが知られている。特性解析精度の良い特性解析を行うことができる部品サプライヤーは、特性解析の精度の悪い部品サプライヤーに比べて競争力が高い。特性解析精度の良い特性解析の方法が、他の部品サプライヤーに知られると、競争力が低下することがある。そこで、精度の良い特性解析を行うことができる部品サプライヤーは、精度の良い解析手法を開示したくなかった。一方、精度の良い解析手法を用いて電子カタログ等による部品選定を行うには、競争力の低下を防ぐために秘匿しておくべき解析手法を開示しなければならなかった。
そこで、上述した実施形態によれば、防振ゴム製品提示装置１は、部品選定に用いる部品選定の方法を選定ロジックとして秘匿する（ユーザーＡ２００及び他の防振ゴムサプライヤーＡ３００からは参照できないようにする）。したがって、精度の良い解析手法を有する防振ゴムサプライヤーＡ３００は、精度の良い解析手法を開示することなく、ユーザーＡ２００は精度の良い解析手法を用いて部品選定をすることができる。
【００７４】
また、上述した実施形態によれば、防振ゴム製品提示装置１は、ユーザーＡ２００及び防振ゴムサプライヤーＡ３００を識別する。したがって、プラットフォーム提供者Ａ１００の許可を得ているユーザーＡ２００又は防振ゴムサプライヤーＡ３００のみが防振ゴム製品提示装置１を使用することができる。したがって、プラットフォーム提供者Ａ１００は、ユーザーＡ２００又は防振ゴムサプライヤーＡ３００ごとに異なる使用形態の契約を結ぶことが可能となる。
【００７５】
また、上述した実施形態によれば、ユーザーＡ２００は標準ロジックによる部品選定を行うか、独自ロジックによる部品選定を行うかを選択することができる。ここで、防振ゴムサプライヤーＡ３００は独自ロジックの使用を許可する代わりに、使用の対価を受け取る場合がある。その場合、精度の良い特性解析を希望するユーザーＡ２００にとっては効果がある。しかしながら、部品選定に費用をかけたくないユーザーＡ２００にとっては、効果がない。
したがって、防振ゴム製品提示装置１は標準ロジックと独自ロジックを備えることにより、プラットフォーム提供者Ａ１００とユーザーＡ２００とは目的に応じた様々な形態の契約を結ぶことが可能になる。
【００７６】
また、上述した実施形態によれば、防振ゴム製品提示装置１は、プラットフォーム提供者Ａ１００により許可されたユーザーＡ２００又は防振ゴムサプライヤーＡ３００のみが使用可能である。したがって、使用を許可していないユーザーＡ２００または防振ゴムサプライヤーＡ３００は防振ゴム製品提示装置１を使用することができない。
一方、従来であれば煩雑なやりとりによって部品選定が行われていたところ、プラットフォーム提供者Ａ１００が提供する防振ゴム製品提示装置１により、従来と比べて簡単な方法で部品選定をすることが可能になる。したがって、防振ゴム製品提示装置１がユーザーＡ２００及び防振ゴムサプライヤーＡ３００を識別することにより、プラットフォーム提供者Ａ１００は、防振ゴム製品提示装置１の使用の代償としての対価を受け取ることが可能になるという効果がある。
【００７７】
また、上述した実施形態によれば、防振ゴム製品提示装置１は、ユーザーＡ２００から取得した要求情報ＲＩと、製品情報ＰＩとに基づいた解析結果を、提案部品情報ＰＰの選択条件に用いる。したがって、ユーザーＡ２００が要求する製品を提案することができるという効果がある。
【００７８】
また、上述した実施形態によれば、防振ゴム製品提示装置１は、ユーザーＡ２００から発注情報ＯＩを取得することにより、提案部品情報ＰＰの見積金額をユーザーＡ２００に対して提示することができる。したがって、防振ゴムサプライヤーＡ３００は、提案部品情報ＰＰが決定した後、別途見積もりに係る工程を要しないという効果がある。
【００７９】
また、上述した実施形態によれば、防振ゴム製品提示装置１がユーザーＡ２００から、要求情報ＲＩを取得する。したがってユーザーＡ２００は、従来では電子カタログ（または紙媒体によるカタログ）に記載されている製品特性から部品選定をしなければならなかったところ、要求情報ＲＩを提示することにより部品選定をすることができるという効果がある。
【００８０】
また、上述した実施形態によれば、防振ゴム製品提示装置１は、防振ゴム製品の発注側であるユーザーＡ２００と、防振ゴム製品の受注側である防振ゴムサプライヤーＡ３００とが互いに情報をやり取りして部品選定が行われるような防振ゴム製品を取り扱うことができる。したがって、従来行われていた部品選定に関わる煩雑なやり取りを減らすことができるという効果がある。
【００８１】
なお、上述した実施形態における防振ゴム製品提示装置１が備える各部の機能の全体あるいはその機能の一部は、これらの機能を実現するためのプログラムをコンピュータにより読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。
【００８２】
また、「コンピュータにより読み取り可能な記録媒体」とは、光磁気ディスク、ＲＯＭ、ＣＤ−ＲＯＭ等の可搬媒体、コンピュータシステムに内蔵されるハードディスク等の記憶部のことをいう。さらに、「コンピュータにより読み取り可能な記録媒体」とは、インターネット等のネットワークを介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【００８３】
以上、本発明を実施するための形態について実施形態を用いて説明したが、本発明はこうした実施形態に何ら限定されるものではなく、本発明の趣旨を逸脱しない範囲内において種々の変形及び置換を加えることができる。
【符号の説明】
【００８４】
Ａ…防振ゴム製品提示システム、Ａ１００…プラットフォーム提供者、Ａ２００…ユーザー、Ａ３００…防振ゴムサプライヤー、Ｃ１００…プラットフォーム利用料、Ｃ２００…アプリケーション使用料、Ｃ３００…データ使用料、Ｆ１…製品選定アプリケーション、Ｆ２…防振ゴム製品情報、Ｆ３…防振ゴム製品情報、１…防振ゴム製品提示装置、２…操作検出部、３…情報提供装置、４…製品情報記憶部、５…表示部、６…ロジック記憶部、６ａ…標準ロジック記憶部、６ｂ…独自ロジック記憶部、２００…製品選択部、２３０…ロジック選択部、２１０…解析部、２００２…比較部、２２０…見積部、３００…製品情報取得部、４００…提示部、８１０…ユーザー識別部、８２０…ユーザー情報記憶部、７１０…ロジック指定情報取得部、７２０…要求特性情報取得部、８３０…サプライヤー識別部、８４０…サプライヤー情報記憶部、８５０…データ供給判定部、ＲＩ…要求情報、ＯＩ…発注情報、ＬＩ…ロジック指定情報、ＬＳＩ…ロジック選択情報、ＵＩＤ…ユーザー識別情報、ＳＩＤ…サプライヤー識別情報、ＵＩＤＲ…ユーザー判定情報、ＳＩＤＲ…サプライヤー判定情報、ＩＤＲ…識別判定情報、ＰＩ…製品情報、ＡＲ…解析結果、ＣＩ…見積情報、ＰＰ…提案部品情報
【図１】
2020201895.tif 000003
【図２】
2020201895.tif 000004
【図３】
2020201895.tif 000005
【図４】
2020201895.tif 000006
【図５】
2020201895.tif 000007
【図６】
2020201895.tif 000008
【図７】
2020201895.tif 000009
【図８Ａ】
2020201895.tif 000010
【図８Ｂ】
2020201895.tif 000011
【図９】
2020201895.tif 000012
【図１０】
2020201895.tif 000013
【図１１】
2020201895.tif 000014
【図１２】
2020201895.tif 000015
【図１３】
2020201895.tif 000016